Podtech/llm-jp-corpus-v4-ja_patent huggingface dataset:
【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  ＧａＡｓによって形成された半導体基板の上に、コレクタコンタクト層と、
該コレクタコンタクト層の第一の領域に形成された第一導電型のコレクタ層と、前記コレクタコンタクト層の第二の領域に形成されたコレクタ電極と、
前記コレクタ層の上に形成された第二導電型のベース層と、
該ベース層の第一の領域に形成されたベース電極と、
前記ベース層の第二の領域に形成された第一導電型のエミッタ層と、
該エミッタ層の上に形成されたエミッタコンタクト層と、
該エミッタコンタクト層の上に形成されたエミッタ電極とを有するヘテロ接合バイポーラトランジスタであって、
前記コレクタコンタクト層と前記エミッタコンタクト層のうち少なくとも一方は、前記半導体基板と格子整合するIII −Ｖ族化合物半導体材料によって形成され、該III −Ｖ族化合物半導体材料が窒素を含むことを特徴とするヘテロ接合バイポーラトランジスタ。
【請求項２】  前記半導体基板がＧａＡｓによって形成されると共に、前記コレクタコンタクト層または前記エミッタコンタクト層のうち少なくともいずれか一方の少なくとも一部はＧａＩｎＮＡｓによって形成された請求項１に記載のヘテロ接合バイポーラトランジスタ。
【請求項３】  前記ＧａＩｎＮＡｓによって形成された層に、シリコンが１０-19 ｃｍ-3以上ドーピングされた請求項２に記載のヘテロ接合バイポーラトランジスタ。
【手続補正２】
【補正対象書類名】明細書
【補正対象項目名】０００７
【補正方法】変更
【補正の内容】
【０００７】
【課題を解決するための手段】
上記の目的は、ＧａＡｓによって形成された半導体基板の上にコレクタコンタクト層と、該コレクタコンタクト層の第一の領域に形成された第一導電型のコレクタ層と、コレクタコンタクト層の第二の領域に形成されたコレクタ電極と、コレクタ層の上に形成された第二導電型のベース層と、該ベース層の第一の領域に形成されたベース電極と、ベース層の第二の領域に形成された第一導電型のエミッタ層と、該エミッタ層の上に形成されたエミッタコンタクト層と、該エミッタコンタクト層の上に形成されたエミッタ電極とを有するヘテロ接合バイポーラトランジスタであって、コレクタコンタクト層とエミッタコンタクト層のうち少なくとも一方は、半導体基板と格子整合するIII −Ｖ族化合物半導体材料によって形成され、該III −Ｖ族化合物半導体材料が窒素を含むことを特徴とするヘテロ接合バイポーラトランジスタを提供することにより達成される。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】  ツリー型のバスを有する複数の機器を接続し、相互に通信を行うネットワークシステムにおいて、そのネットワークのノード点を構成する各機器又は一部の機器が、他の機器との接続のための複数のポートと、それらのポートの接続・切断の切換制御を行うポート制御器と、ネットワークの異常を検出する異常検出器を有し、該異常検出器がネットワークの異常を検出した場合に、自動的に機器の接続状態を変更して、当該ネットワークを正常に復帰させるようにしたネットワークシステム。
【請求項２】  請求項１に記載のネットワークシステムにおいて、
前記複数の機器をループ状に配線し、上記複数の機器の中の１つの機器の１個のポートを切断状態にしておき、当該ネットワークの１本のケーブル、又は１個のポートが通信に異常をきたした場合に、上記切断状態にしておいたポートをポート制御器によって接続することにより、通信を正常に復帰できるようにしたネットワークシステム。
【請求項３】  請求項１に記載のネットワークシステムにおいて、
前記複数の機器のうちの機能しなくなると致命的問題を起こす可能性が高い機器から成る重要な機器群と機能しなくなっても致命的な問題が発生する可能性の低い機器から成るさほど重要ではない機器群を分断できるようにネットワークを構成し、通信に異常があった場合に、当該さほど重要ではない機器群と前記重要な機器群とを分断して前記重要な機器群を残すことにより、トラブルを回避できるようにしたネットワークシステム。
【請求項４】  請求項３に記載のネットワークシステムにおいて、
前記重要な機器群についてはその群の複数の機器をループ状に配線し、１つの機器の１個のポートを切断状態にしておき、当該ネットワークの１本のケーブル又は１個のポートが破損し、通信に異常をきたした時には、上記切断状態にしておいたポートを接続することにより通信を正常にできるようにし、上記さほど重要でない機器群については分断により排除することによりトラブルを回避できるようにしたネットワークシステム。
【手続補正２】
【補正対象書類名】明細書
【補正対象項目名】００１０
【補正方法】変更
【補正の内容】
【００１０】
【課題を解決するための手段】
上記の課題を解決するために、本発明は、下記の手段を備えたネットワークシステムを提供する。即ち、
ツリー型のバスを有する複数の機器を接続し、相互に通信を行うネットワークシステムにおいて、そのネットワークのノード点を構成する各機器又は一部の機器が、他の機器との接続のための複数のポートと、それらのポートの接続・切断の切換制御を行うポート制御器と、ネットワークの異常を検出する異常検出器を有し、該異常検出器がネットワークの異常を検出した場合に、自動的に機器の接続状態を変更して、そのネットワークを正常に復帰することができるようにしたネットワークシステムを提供する。
【手続補正３】
【補正対象書類名】明細書
【補正対象項目名】００１１
【補正方法】変更
【補正の内容】
【００１１】
また、上記のネットワークシステムにおいて、複数の機器をループ状に配線し、上記複数の機器の中の１つの機器の１個のポートを切断状態にしておき、当該ネットワークの１本のケーブル、又は１個のポートが通信に異常をきたした場合に、上記切断状態にしておいたポートをポート制御器によって接続することにより、通信を正常に復帰できるようにしたネットワークシステムを提供する。
【手続補正４】
【補正対象書類名】明細書
【補正対象項目名】００１２
【補正方法】変更
【補正の内容】
【００１２】
更にまた、上記ネットワークシステムにおいて、機能しなくなると致命的問題を起こす可能性が高い機器から成る重要な機器群と機能しなくなっても致命的な問題が発生する可能性の低い機器から成るさほど重要ではない機器群を分断できるようにネットワークを構成し、通信に異常があった場合に、当該さほど重要ではない機器群と重要な機器群とを分断して重要な機器群を残すことにより、トラブルを回避できるようにしたネットワークシステムを提供する。
【手続補正５】
【補正対象書類名】明細書
【補正対象項目名】００１３
【補正方法】変更
【補正の内容】
【００１３】
更に又、重要な機器群とさほど重要でない機器群を分断できるようにネットワークを構成し、重要な機器群についてはその群の複数の機器をループ状に配線し、１つの機器の１個のポートを切断状態にしておき、当該ネットワークの１本のケーブル又は１個のポートが破損し、通信に異常をきたした時には、上記切断状態にしておいたポートを接続することにより通信を正常にできるようにし、さほど重要でない機器群については分断により排除することによりトラブルを回避できるようにしたネットワークシステムを提供する。
【手続補正書】
【提出日】平成17年12月2日(2005.12.2)
【手続補正１】
【補正対象書類名】明細書
【補正対象項目名】００１９
【補正方法】変更
【補正の内容】
【００１９】
ミキサアンプリファイア（以下ミキサアンプと略称する）４６は、VCO(Voltage Controlled Oscillator)５６から出力されるクロック信号とアンプ４５からの入力信号を、乗算器８１によって乗算させ、第２のIF信号に変換させた後、内蔵するアンプ８２に、その第２のIF信号を増幅させ、SAWF(Surface Acoustic Wave Filter)４７に出力させる。
【手続補正書】
【提出日】平成18年1月4日(2006.1.4)
【手続補正１】
【補正対象書類名】明細書
【補正対象項目名】００４１
【補正方法】変更
【補正の内容】
【００４１】
つぎに、移動台１４が原点位置へ戻り（ステップ♯４１）、小幅に切断された加硫スリーブ１０８を伸長戻り状態に戻し（ステップ♯４２）、テールストック（第１及び第２副軸受け５，８）も戻る（ステップ♯４３）。そして、終了ブザーが鳴り（ステップ♯４４）、切断された小幅加硫スリーブの取り出しが行われる（ステップ♯４５）。切断された耳端を除去した後に再スタートさせる（ステップ♯１）。
これら一連の動作は、ベルト厚さｂを同時に個々に切り込み送り制御させることにより、１回のサイクル、すなわち１パス加工によって行われる。
【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  本体基部に遊技盤が交換可能に取り付けられた弾球遊技機において、
前記本体基部は、
図柄表示装置、スピーカ又はランプの少なくともいずれか１つで構成された遊技作動装置と、
前記遊技作動装置を作動する駆動手段とを備え、
前記遊技盤は、
前記遊技作動装置の作動制御に用いられる制御プログラムを記憶したプログラムメモリと、
前記制御プログラムを処理して得た伝送信号を前記駆動手段に送信する制御手段とを備え、
前記駆動手段は、前記制御手段からの伝送信号を受けて前記遊技作動装置を作動させることを特徴とする弾球遊技機。
【請求項２】  前記遊技作動装置の作動制御に用いられる制御データが、弾球遊技機の機種ごとに異なるデータと、機種に関わらず共通のデータとから構成されており、
前記本体基部は、前記共通のデータを記憶した共通記憶メモリを備え、
前記遊技盤は、前記機種ごとに異なるデータを記憶させたデータメモリを備えたことを特徴とする請求項１記載の弾球遊技機。
【手続補正２】
【補正対象書類名】明細書
【補正対象項目名】０００６
【補正方法】変更
【補正の内容】
【０００６】
上記目的を達成するために、本発明の弾球遊技機は、本体基部に遊技盤が交換可能に取り付けられた弾球遊技機において、前記本体基部は、図柄表示装置、スピーカ又はランプの少なくともいずれか１つで構成された遊技作動装置と、前記遊技作動装置を作動する駆動手段とを備え、前記遊技盤は、前記遊技作動装置の作動制御に用いられる制御プログラムを記憶したプログラムメモリと、前記制御プログラムを処理して得た伝送信号を前記駆動手段に送信する制御手段とを備え、前記駆動手段は、前記制御手段からの伝送信号を受けて前記遊技作動装置を作動させるものである。
【手続補正３】
【補正対象書類名】明細書
【補正対象項目名】０００８
【補正方法】変更
【補正の内容】
【０００８】
なお、前記遊技作動装置の作動制御に用いられる制御データが、弾球遊技機の機種ごとに異なるデータと、機種に関わらず共通のデータとから構成されており、前記本体基部は、前記共通のデータを記憶した第一データメモリを備え、前記遊技盤は、前記機種ごとに異なるデータを記憶させた第二データメモリを備えることが好ましい。
【手続補正４】
【補正対象書類名】明細書
【補正対象項目名】００１３
【補正方法】変更
【補正の内容】
【００１３】
ＣＰＵ３１は、制御ＲＯＭ（プログラムメモリ）３２に記憶された制御プログラム及び演出プログラムに基づいて、データＲＯＭ３３から制御データを読み出す。そして、後述するランプ回路装置５０、音声回路装置５５等の駆動手段に、制御データに基づいて処理した伝送信号を出力する。なお、上記制御プログラムとしては、パチンコ機２の基本動作を実行させるメインプログラムの他に、例えば前面扉７等に設けられたランプ５３等の発光装置を作動させるランプ制御プログラム、前面扉７及び下部扉１２に設けられたスピーカ６０等の音声出力装置を作動させる音声制御プログラム、及び図柄表示装置２７を作動させるＬＣＤ制御プログラム等が挙げられる。また、制御データとは、例えばランプ回路装置５０で使用される発光データ、上記音声回路装置５５で使用される音声データ、及びＬＣＤ回路装置４８で使用される画像データ等が挙げられる。なお、音声データは、一定時間毎に区切られた音声に関わる情報を数値化したデータを１つのグループとしたグループデータから構成され、このグループデータが複数個記憶されている。なお、駆動手段は、回路装置の他に、回路基板であってもよい。
【手続補正５】
【補正対象書類名】明細書
【補正対象項目名】００２７
【補正方法】変更
【補正の内容】
【００２７】
また、この他に、データＲＯＭに記憶される制御データを分離するようにしても良い。上記制御データは、機種毎に変更しない共通の制御データと、機種毎に変更する制御データとから構成されている。この機種毎に変更しない共通の制御データを、共通データＲＯＭ（第一データメモリ）に記憶させ、各回路装置に備えるようにしてもよい。以下、本実施形態と同一の機能を有する箇所については、同一の符号を付して説明する。この場合、図１０に示すように、機種毎に変更しない共通の発光データを共通データＲＯＭ（第一データメモリ）１３０に記憶させ、据え置き部側に設けられたランプ回路装置５０に組み込む。同様に、共通となる音声データを共通データＲＯＭ（第一データメモリ）１３１に記憶させ、音声回路装置５５に組み込む。なお、共通の発光データとは、例えばエラー時の点灯パターンが挙げられる。また、共通の音声データとは、例えば大当たり時のファンファーレ等の音声データが挙げられる。また、機種毎に変更されるようになる制御データをデータＲＯＭ（第二データメモリ）に記憶し、交換部側に設けられる制御回路装置に組み込む。これにより、制御データのうち共通化できない、機種に依存する制御データのみを交換可能することで、新しい機種への切り替え時のコストを効果的に抑制することができる。
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
細長い柄（２）を含む料理用泡立て器（１，３０）であって、
さらに、概して平面状の実効部（４，３２）を含み、
前記実行部（４，３２）は、横材（１２）が設けられ、前記横材（１２）において前記柄（２）に接続され、
前記実行部（４，３２）は、前記柄（２）の軸に垂直な軸周りに旋回動作可能であることを特徴とする調理用泡立て器（１，３０）。
【請求項２】
前記実効部（４，３２）は、複数の針金（１４，１８）を含むことを特徴とする請求項１に記載の調理用泡立て器（１，３０）。
【請求項３】
前記実効部（４，３２）は、概して平面状の針金の環（１４）と、前記針金の環の周りに伸びる相対的に細い針金のコイル（１８）とを含むことを特徴とする請求項１または２に記載の調理用泡立て器（１，３０）。
【請求項４】
前記針金のコイル（１８）は、前記環（１４）の周りでの前記コイル（１８）の限定された動きを可能にするために、前記針金の環（１４）の周りにゆるく巻きつけられていることを特徴とする請求項３に記載の調理用泡立て器（１，３０）。
【請求項５】
前記軸旋回可能な接続は、前記横材（１２）において行われていることを特徴とする請求項３または４に記載の調理用泡立て器（１，３０）。
【請求項６】
前記柄（２）は、前記柄（２）から伸びた１対の脚部（８）で前記針金の環（１４）に接合されていることを特徴とする請求項３から５のいずれかに記載の調理用泡立て器（１，３０）。
【請求項７】
前記脚部（８）は、前記横材（１２）の周りに折り曲げられた折返し端部（１０）を含むことを特徴とする請求項６に記載の調理用泡立て器（１，３０）。
【請求項８】
前記横材（１２）には、前記脚部（８）に対して前記針金の環（１４）が横方向に動くことを防止する突起（１６）が設けられていることを特徴とする請求項７に記載の調理用泡立て器（１，３０）。
【請求項９】
前記針金の環（１４）は、少なくとも１つの尖部（２０）を有する形状であることを特徴とする請求項３から８のいずれかに記載の調理用泡立て器（１，３０）。
【請求項１０】
前記針金の環（１４）はハート形であることを特徴とする請求項３から９のいずれかに記載の調理用泡立て器（１，３０）。
【請求項１１】
前記針金の環（１４）は楕円形であることを特徴とする請求項３から９のいずれかに記載の調理用泡立て器（１，３０）。
【請求項１２】
前記針金の環（１４）は三角形であることを特徴とする請求項３から９のいずれかに記載の調理用泡立て器（１，３０）。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
先端側に配置された線状の第１ワイヤと、
前記第１ワイヤの基端側に配置され、前記第１ワイヤの構成材料より弾性率が大きい材料で構成された線状の第２ワイヤとを備え、
前記第１ワイヤと前記第２ワイヤとは、溶接により連結され、
前記第２ワイヤは、前記第１ワイヤと前記第２ワイヤとの溶接部付近に、その横断面積が前記第１ワイヤの基端部の横断面積より小さい小横断面積部を有することを特徴とするガイドワイヤ。
【請求項２】
先端側に配置された線状の第１ワイヤと、
前記第１ワイヤの基端側に配置され、前記第１ワイヤより剛性の高い線状の第２ワイヤとを備え、
前記第１ワイヤと前記第２ワイヤとが溶接により連結された溶接部に、外周方向に突出する突出部を有し、
前記第２ワイヤは、前記第１ワイヤと前記第２ワイヤとの溶接部付近に、その横断面積が前記第１ワイヤの基端部の横断面積より小さい小横断面積部を有することを特徴とするガイドワイヤ。
【請求項３】
前記小横断面積部の外径は、前記第１ワイヤの基端部の外径より小さい請求項１または２に記載のガイドワイヤ。
【請求項４】
前記小横断面積部は、その横断面積が先端方向へ向かって漸減する部分を有する請求項１ないし３のいずれかに記載のガイドワイヤ。
【請求項５】
前記小横断面積部は、その外径が先端方向へ向かって漸減する部分を有する請求項１ないし４のいずれかに記載のガイドワイヤ。
【請求項６】
前記小横断面積部は、その外径が先端方向へ向かって漸減する第１の部分と、該第１の部分より先端側に位置し、その外径が先端方向へ向かって漸増する第２の部分とを有する請求項１ないし４のいずれかに記載のガイドワイヤ。
【請求項７】
前記小横断面積部は、前記第１の部分と前記第２の部分との間に、その外径がほぼ一定の第３の部分を有する請求項６に記載のガイドワイヤ。
【請求項８】
前記第１の部分の長さが前記第２の部分の長さの０．１〜１０００倍である請求項６または７に記載のガイドワイヤ。
【請求項９】
前記第２ワイヤの先端における曲げ剛性と、前記第１ワイヤの基端における曲げ剛性とは、ほぼ等しくなっている請求項１ないし８のいずれかに記載のガイドワイヤ。
【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  周面に互いに異なる種類の複数の図柄が周方向に沿って配列されている複数の回転リール、及び各リールをそれぞれ個別に回転させることにより、各回転リールの図柄をそれぞれ個別に変動させるための複数の駆動源を備えているスロットマシンにおいて、
遊技の開始に伴って、役の成立に関する抽選を行う抽選手段と、
この抽選手段による抽選の結果、当該抽選に外れて役が成立しなかった場合には、上記全ての駆動源に始動信号を同時に与え、上記全てのリールの回転を同時に開始させる一方、当該抽選に当選して役が成立した場合には、予め定める順序で上記各駆動源に始動信号を与え、上記各リールの回転開始タイミングを予め定める態様で位相させる制御手段とを含むことを特徴とするスロットマシン。
【請求項２】  上記抽選手段による抽選で成立する役の種類に関連付けて上記各リールの回転開始順序を定めたパターンが複数登録されているデータテーブルをさらに含み、
上記制御手段は、
上記抽選手段による内部抽選に当選して役が成立したとき、当該成立役の種類をパラメータとして上記データテーブルを参照して当該成立役の種類に応じた上記各リールの回転開始順序パターンを決定し、この決定されたパターンに則した順序で上記各駆動源に始動信号を与え、上記各リールの回転を始動信号が与えられた順に開始させることを特徴とする、請求項１に記載のスロットマシン。
【請求項３】  上記抽選手段による抽選に当選して役が成立すること条件として、その旨を予め定める態様で報知する報知手段をさらに含むことを特徴とする、請求項１又は２に記載のスロットマシン。
【請求項４】  周面に互いに異なる種類の複数の図柄が周方向に沿って配列されている複数の回転リール、各リールをそれぞれ個別に回転させることにより、各回転リールの図柄をそれぞれ個別に変動させるための複数の駆動源、及び各リールの回転をそれぞれ個別に停止させることにより、各回転リールの図柄の変動をそれぞれ個別に停止させるための複数の操作手段を備えているスロットマシンにおいて、
遊技の開始に伴って、役の成立に関する第１の抽選を行う第１の抽選手段と、
第１の抽選で成立した役に対応した組み合わせで上記リールの図柄の変動を停止させるための、上記各操作手段の操作順序に対応する上記各リールの回転停止順序を定めたパターンが複数登録されているデータテーブルと、
このデータテーブルから上記各リールの回転停止順序パターンを決定するための第２の抽選を行う第２の抽選手段と、
上記第１の抽選手段による第１の抽選の結果、当該第１の抽選に外れて役が成立しなかった場合には、上記全ての駆動源に始動信号を同時に与え、上記全てのリールの回転を同時に開始させる一方、当該第１の抽選に当選して役が成立した場合には、上記第２の抽選手段を作動させて上記データテーブルから上記各リールの回転停止順序パターンを決定し、この決定されたパターンを基にした順序で上記各駆動源に始動信号を与え、上記各リールの回転を始動信号が与えられた順に開始させる制御手段とを含むことを特徴とするスロットマシン。
【請求項５】  上記第１の抽選手段による第１の抽選に当選して役が成立したとき、これを契機に上記第２の抽選手段にて決定される、上記各リールの回転停止順序パターンに則した上記各操作手段の操作順序を表示する表示手段をさらに含むことを特徴とする、請求項４に記載のスロットマシン。
【請求項６】  複数種類の図柄を変動表示及び停止表示させることが可能な図柄表示手段と、図柄を停止表示した前記図柄表示手段に対して図柄の変動表示を開始させるために遊技者の手動操作を可能とする始動操作手段と、役の抽選を行う抽選手段とを備え、図柄を停止表示した前記図柄表示手段を変動表示させた際の始動態様を複数種類記憶した記憶手段と、当該記憶手段に記憶された前記複数種類の始動態様のうち前記抽選手段によって成立した役の種類に応じた始動態様を選択する選択手段とを備え、前記図柄表示手段は前記始動操作手段の手動操作を受けて前記選択手段の選択した始動態様により図柄の変動表示を行うスロットマシンであって、
前記図柄表示手段を複数個備え、前記記憶手段は停止表示した各前記図柄表示手段を変動表示させる始動順序を前記複数種類の始動態様として記憶し、前記図柄表示手段は複数個のうち一個のみ変動表示し、当該変動表示した前記一個の図柄表示手段が前記停止操作手段の操作によって停止表示されることを受けて複数個のうち別の一個の前記図柄表示手段が変動表示することを特徴とするスロットマシン。
【請求項７】  周面に互いに異なる種類の複数の図柄が周方向に沿って配列されている複数の回転リール、及び各リールをそれぞれ個別に回転させることにより、各回転リールの図柄をそれぞれ個別に変動させるための複数の駆動源を備えているスロットマシンを制御するための方法において、
遊技の開始に伴って、役の成立に関する抽選を行う抽選ステップと、
この抽選ステップによる抽選の結果、当該抽選に外れて役が成立しなかった場合には、上記全ての駆動源に始動信号を同時に与え、上記全てのリールの回転を同時に開始させる一方、当該抽選に当選して役が成立した場合には、予め定める順序で上記各駆動源に始動信号を与え、上記各リールの回転開始タイミングを予め定める態様で位相させる制御ステップとを含むことを特徴とするスロットマシンの制御方法。
【請求項８】  周面に互いに異なる種類の複数の図柄が周方向に沿って配列されている複数の回転リール、各リールをそれぞれ個別に回転させることにより、各回転リールの図柄をそれぞれ個別に変動させるための複数の駆動源、及び各リールの回転をそれぞれ個別に停止させることにより、各回転リールの図柄の変動をそれぞれ個別に停止させるための複数の操作手段を備えているスロットマシンを制御するための方法において、
遊技の開始に伴って、役の成立に関する第１の抽選を行う第１の抽選ステップと、
この第１の抽選ステップによる第１の抽選の結果、当該第１の抽選に外れて役が成立しなかった場合には、上記全ての駆動源に始動信号を同時に与え、上記全てのリールの回転を同時に開始させる一方、当該第１の抽選に当選して役が成立した場合には、第２の抽選により、当該第１の抽選で成立した役に対応した組み合わせで上記リールの図柄の変動を停止させるための、上記各操作手段の操作順序に対応する上記各リールの回転停止順序を定めたパターンが複数登録されているデータテーブルから上記各リールの回転停止順序パターンを決定し、この第２の抽選により決定されたパターンを基にした順序で上記各駆動源に始動信号を与え、上記各リールの回転を始動信号が与えられた順に開始させる制御ステップとを含むことを特徴とするスロットマシンの制御方法。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
先端側に配置された線状の第１ワイヤと、
前記第１ワイヤの基端側に配置された線状の第２ワイヤとを備え、
前記第１ワイヤと前記第２ワイヤとが、溶接により連結され、
この溶接部に、外周方向に突出する突出部を有することを特徴とするガイドワイヤ。
【請求項２】
先端側に配置された線状の第１ワイヤと、
前記第１ワイヤの基端側に配置され、前記第１ワイヤよりも剛性の高い線状の第２ワイヤとを備え、
前記第１ワイヤと前記第２ワイヤとが、溶接により連結され、
この溶接部に、外周方向に突出する突出部を有し、
前記第２ワイヤは、その先端部付近に設けられた第１の部位と、該第１の部位より基端側に設けられた第２の部位とを有し、
前記第１の部位は、前記第２の部位よりも剛性が低いことを特徴とするガイドワイヤ。
【請求項３】
前記突出部は、Ｘ線透視下で視認できるものである請求項１または２に記載のガイドワイヤ。
【請求項４】
前記第１ワイヤの少なくとも先端側の部分を覆う螺旋状のコイルを有する請求項１ないし３のいずれかに記載のガイドワイヤ。
【請求項５】
前記コイルは、その基端が前記突出部に当接するものである請求項４に記載のガイドワイヤ。
【請求項６】
前記突出部は、前記溶接部の溶接面を境に基端側と先端側とが非対称の形状をなしている請求項１ないし５のいずれかに記載のガイドワイヤ。
【請求項７】
前記第１ワイヤと前記第２ワイヤとの溶接部付近が細径化され、この細径化された部分に前記突出部が形成されている請求項１ないし６のいずれかに記載のガイドワイヤ。
【請求項８】
先端側に配置された線状の第１ワイヤと、
前記第１ワイヤの基端側に配置された線状の第２ワイヤと、
前記第１ワイヤと前記第２ワイヤとが溶接により連結された溶接部と、
前記第１ワイヤと前記第２ワイヤとの該溶接部付近には該溶接部よりも細径である細径部とを有するガイドワイヤ。
【請求項９】
該溶接部の最大外径は、該細径部より基端側または先端側の部位の外径に比べ、ほぼ等しいかまたはそれ以下である請求項8に記載のガイドワイヤ。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  容器内に、吸着剤（２６）及び中空糸膜（２７）が、仕切り部材を介さずに充填されているピッチャー型浄水器用浄水カートリッジ。
【請求項２】  前記中空糸膜の充填密度が５０〜７０％である請求項１に記載のピッチャー型浄水器用浄水カートリッジ。
【請求項３】  前記吸着剤（２６）が活性炭であり、その充填量が１０〜２００ｇの範囲である請求項１又は２に記載のピッチャー型浄水器用浄水カートリッジ。
【請求項４】  前記中空糸膜（２７）の総膜面積が０．１〜１．０ｍ２の範囲である請求項１〜３のいずれか一項に記載のピッチャー型浄水器用浄水カートリッジ。
【請求項５】  上流側から、前記吸着剤（２６）、前記中空糸膜（２７）の順に配されている請求項１〜４のいずれか一項に記載のピッチャー型浄水器用浄水カートリッジ。
【請求項６】  浄水貯留部（１ｂ）を有する外容器（１１）と、原水貯留部（１ａ）を有する内容器（１２）と、請求項１〜５いずれか一項に記載のピッチャー型浄水器用浄水カートリッジ（２０）とを有するピッチャー型浄水器。
【手続補正２】
【補正対象書類名】明細書
【補正対象項目名】０００９
【補正方法】変更
【補正の内容】
【０００９】
【課題を解決するための手段】  すなわち、本発明の要旨は、容器内に、吸着剤（２６）及び中空糸膜（２７）が、仕切り部材を介さずに充填されているピッチャー型浄水器用浄水カートリッジ、である。
【手続補正３】
【補正対象書類名】明細書
【補正対象項目名】００１１
【補正方法】変更
【補正の内容】
【００１１】
本発明の第二の主旨は、浄水貯留部（１ｂ）を有する外容器（１１）と、原水貯留部（１ａ）を有する内容器（１２）と、ピッチャー型浄水器用浄水カートリッジ（２０）とを有するピッチャー型浄水器である。
該ピッチャー型浄水器用浄水カートリッジ（２０）は、容器内に、吸着剤（２６）及び中空糸膜（２７）が、仕切り部材を介さずに充填されている浄水器、である。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  内部に中空糸膜（２３）が配された浄水カ−トリッジ（４）であって、
該中空糸膜（２３）のポッティング樹脂（２４）に埋没した部位における中空部内表面の合計面積（Ａ）が、５３０ｃｍ２未満である浄水カ−トリッジ。
【請求項２】  前記ポッティング樹脂（２４）の厚み（Ｈ）が１ｃｍ以下である請求項１に記載の浄水カ−トリッジ。
【請求項３】  浄水貯留部（１１）を有する外容器（５）と、原水貯留部（１０）を有する内容器（６）と、内部に中空糸膜（２３）が配された浄水カ−トリッジ（４）とを有する浄水器であって、
該中空糸膜（２３）のポッティング樹脂（２４）に埋没した部位における中空部内表面の合計面積（Ａ）が、５３０ｃｍ２未満である浄水器。
【請求項４】  浄水貯留部（１１）を有する外容器（５）と、原水貯留部（１０）を有する内容器（６）と、内部に中空糸膜（２３）が配された浄水カ−トリッジ（４）とを有する浄水器であって、
該中空糸膜（２３）のポッティング樹脂（２４）に埋没した部位における中空部内表面積の合計（ｃｍ２）をＡとし、
該浄水貯留部（１１）の体積（ｌ）をＶとしたとき、
Ａ／Ｖが１０００以下である浄水器。
【請求項５】  前記合計面積Ａが、５３０ｃｍ２未満である請求項４に記載の浄水器。
【請求項６】  前記ポッティング樹脂（２４）の厚み（Ｈ）が１ｃｍ以下である請求項３〜５のいずれか一項に記載の浄水器。
【手続補正書】
【提出日】平成17年12月20日(2005.12.20)
【手続補正１】
【補正対象書類名】明細書
【補正対象項目名】発明の名称
【補正方法】変更
【補正の内容】
【発明の名称】インクジェット記録装置および予備吐出方法
【手続補正２】
【補正対象書類名】明細書
【補正対象項目名】特許請求の範囲
【補正方法】変更
【補正の内容】
【特許請求の範囲】
【請求項１】  インクを吐出する記録ヘッドを搭載したキャリッジを移動走査する為のキャリッジ走査手段と、複数積載された記録媒体の１枚を給送する為の記録媒体給送手段と、前記記録媒体給送手段によって給送された前記記録媒体を前記記録ヘッドによる記録が可能な位置にまで搬送する記録媒体搬送手段とを備えるインクジェット記録装置において、
前記記録媒体が前記記録媒体給送手段から前記記録媒体搬送手段へ引き継がれながら連続的に搬送される記録媒体給送搬送動作と、前記記録ヘッドの予備吐出動作と、を並行して行わせる制御手段を備え、
該制御手段は、前記記録媒体給送手段の駆動、前記記録媒体搬送手段の駆動および前記予備吐出動作のすべてが同時に行われないよう制御することを特徴とするインクジェット記録装置。
【請求項２】 前記予備吐出動作は、前記記録媒体給紙搬送動作のうち、前記記録媒体搬送手段が前記記録媒体を前記記録ヘッドによる記録が可能な位置にまで搬送する動作と並行して行われていることを特徴とする請求項１に記載のインクジェット記録装置。
【請求項３】 前記予備吐出動作は、前記記録ヘッドが予備吐出可能な位置にまで前記キャリッジ走査手段によって前記キャリッジを移動させる工程と、前記記録ヘッドによって予備吐出を行う工程と、前記記録ヘッドが前記記録媒体に記録可能な位置にまで前記キャリッジ走査手段によって前記キャリッジを移動させる工程とが含まれることを特徴とする請求項１または２に記載のインクジェット記録装置。
【請求項４】 前記インクジェット記録装置は、前記キャリッジ走査手段を電気的に駆動する為の第１の駆動源と、前記記録媒体給送手段を電気的に駆動する為の第２の駆動源と、前記記録媒体搬送手段を電気的に駆動するための第３の駆動源とを有し、前記第１の駆動源と前記第２の駆動源、および前記第３の駆動源は、３者同時に駆動されないことを特徴とする請求項１乃至３のいずれかに記載のインクジェット記録装置。
【請求項５】 インクを吐出する記録ヘッドが予備吐出可能な位置にまで該記録ヘッドを搭載したキャリッジを移動させる第１工程と、前記記録ヘッドによって予備吐出を行う第２工程と、前記記録ヘッドが記録媒体に記録可能な位置にまで前記キャリッジを移動させる第３工程と、複数積載された記録媒体の１枚を給紙する第４工程と、前記第４工程によって給紙された前記記録媒体を前記記録ヘッドによる記録が可能な位置にまで搬送する第５工程とを有する予備吐出方法において、前記第１乃至第５工程のうち同時に３つ以上の工程は行われないことを特徴とする予備吐出方法。
【手続補正３】
【補正対象書類名】明細書
【補正対象項目名】０００１
【補正方法】変更
【補正の内容】
【０００１】
【発明の属する技術分野】
本発明は、例えば、パーソナルコンピュータ等の情報を出力する情報出力装置や複写機やファクシミリなどの画像形成装置において、インクジェット方式の記録ヘッドを用いて記録を行うインクジェット記録装置および当該記録装置の予備吐出方法に関する。
【手続補正４】
【補正対象書類名】明細書
【補正対象項目名】０００９
【補正方法】変更
【補正の内容】
【０００９】
本発明は上述の問題点を解消するためになされたものであり、その目的とするところは、小型で電源容量の少ないインクジェット記録装置においても、スループットに影響することなく記録直前の予備吐出動作を行うことが出来るインクジェット記録装置および当該記録装置の予備吐出方法を提供することである。
【手続補正５】
【補正対象書類名】明細書
【補正対象項目名】００１０
【補正方法】変更
【補正の内容】
【００１０】
【課題を解決するための手段】
そのために本発明では、インクを吐出する記録ヘッドを搭載したキャリッジを移動走査する為のキャリッジ走査手段と、複数積載された記録媒体の１枚を給送する為の記録媒体給送手段と、前記記録媒体給送手段によって給送された前記記録媒体を前記記録ヘッドによる記録が可能な位置にまで搬送する記録媒体搬送手段とを備えるインクジェット記録装置において、前記記録媒体が前記記録媒体給送手段から前記記録媒体搬送手段へ引き継がれながら連続的に搬送される記録媒体給送搬送動作と、前記記録ヘッドの予備吐出動作と、を並行して行わせる制御手段を備え、該制御手段は、前記記録媒体給送手段の駆動、前記記録媒体搬送手段の駆動および前記予備吐出動作のすべてが同時に行われないよう制御することを特徴とする。
また、インクを吐出する記録ヘッドが予備吐出可能な位置にまで該記録ヘッドを搭載したキャリッジを移動させる第１工程と、前記記録ヘッドによって予備吐出を行う第２工程と、前記記録ヘッドが記録媒体に記録可能な位置にまで前記キャリッジを移動させる第３工程と、複数積載された記録媒体の１枚を給紙する第４工程と、前記第４工程によって給紙された前記記録媒体を前記記録ヘッドによる記録が可能な位置にまで搬送する第５工程とを有する予備吐出方法において、前記第１乃至第５工程のうち同時に３つ以上の工程は行われないことを特徴とする。
【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】インクジェット記録装置及びその制御方法
【手続補正２】
【補正対象書類名】明細書
【補正対象項目名】特許請求の範囲
【補正方法】変更
【補正の内容】
【特許請求の範囲】
【請求項１】  インクを吐出する記録ヘッドと、該記録ヘッドに着脱可能なインクタンクとを有し、該インクタンクから供給されるインクを吐出する前記記録ヘッドを用いて記録を行うインクジェット記録装置であって、
前記インクタンクの有無を検知する検知手段と、
前記記録ヘッドをクリーニングするクリーニング手段と、
前記検知手段の検知結果に基づいて、前記クリーニング手段のクリーニング動作を禁止する制御手段と
を備えることを特徴とするインクジェット記録装置。
【請求項２】  前記検知手段による検知の結果、前記インクタンクが前記記録ヘッドに未装着である場合、前記制御手段は、前記クリーニング手段のクリーニング動作を禁止する
ことを特徴とする請求項１に記載のインクジェット記録装置。
【請求項３】  前記インクタンクが前記記録ヘッドに未装着である状態で、記録信号が入力された場合、前記制御手段は、更に、前記記録ヘッドによる記録動作を禁止する
ことを特徴とする請求項２に記載のインクジェット記録装置。
【請求項４】  前記検知手段によって前記インクタンクが前記記録ヘッドに未装着であることが検知された状態で、クリーニング要求信号あるいは記録信号が入力された場合、前記インクタンクが前記記録ヘッドに未装着である旨を示す情報を出力する出力手段と
を更に備えることを特徴とする請求項１に記載のインクジェット記録装置。
【請求項５】  前記インクタンクは、複数種類のインクをそれぞれ収容する複数のインクタンクからなり、該複数のインクタンクそれぞれが前記記録ヘッドに着脱可能である
ことを特徴とする請求項１に記載のインクジェット記録装置。
【請求項６】  インクを吐出する記録ヘッドと、該記録ヘッドに着脱可能なインクタンクとを有し、該インクタンクから供給されるインクを吐出する前記記録ヘッドを用いて記録を行うインクジェット記録装置であって、
前記インクタンクの有無を検知する検知手段と、
前記記録ヘッドをクリーニングするクリーニング手段と、
前記検知手段の検知結果に基づいて得られる前記インクタンクの未装着時間に基づいて、前記クリーニング手段によるクリーニング動作を制御する制御手段と
を備えることを特徴とするインクジェット記録装置。
【請求項７】  前記制御手段は、前記インクタンクの未装着時間に基づいて、前記クリーニング手段によるクリーニング動作の強度を制御する
ことを特徴とする請求項６に記載のインクジェット記録装置。
【請求項８】  前記検知手段による検知結果に基づいて、前記インクタンクの未装着時間を計測する計測手段と、
前記計測手段で計測されたインクタンクの未装着時間を記憶する記憶手段とを更に備え、
前記制御手段は、前記記憶手段に記憶されるインクタンクの未装着時間に基づいて、前記クリーニング手段によるクリーニング動作を制御する
ことを特徴とする請求項６に記載のインクジェット記録装置。
【請求項９】  前記制御手段は、前記検知手段による検知結果に基づいて、前記インクタンクが外された第１時刻と、その後の前記インクタンクが装着された第２時刻を取得する取得手段と、
前記取得手段で取得した第１及び第２時刻に基づいて、前記インクタンクの未装着時間を判定する判定手段とを備え、
前記判定手段で判定したインクタンクの未装着時間に基づいて、前記クリーニング手段によるクリーニング動作を制御する
ことを特徴とする請求項６に記載のインクジェット記録装置。
【請求項１０】  インクを吐出する記録ヘッドと、該記録ヘッドに着脱可能なインクタンクとを有し、該インクタンクから供給されるインクを吐出する前記記録ヘッドを用いて記録を行うインクジェット記録装置の制御方法であって、
前記インクタンクの有無を検知する検知工程と、
前記検知手段の検知結果に基づいて、前記記録ヘッドをクリーニングするクリーニング部のクリーニング動作を禁止する制御工程と
を備えることを特徴とするインクジェット記録装置の制御方法。
【請求項１１】  インクを吐出する記録ヘッドと、該記録ヘッドに着脱可能なインクタンクとを有し、該インクタンクから供給されるインクを吐出する前記記録ヘッドを用いて記録を行うインクジェット記録装置の制御方法であって、
前記インクタンクの有無を検知する検知工程と、
前記検知手段の検知結果に基づいて得られる前記インクタンクの未装着時間に基づいて、前記記録ヘッドをクリーニングするクリーニング部によるクリーニング動作を制御する制御工程と
を備えることを特徴とするインクジェット記録装置の制御方法。
【請求項１２】  インクを吐出する記録ヘッドと、該記録ヘッドに着脱可能なインクタンクとを有し、該インクタンクから供給されるインクを吐出する前記記録ヘッドを用いて記録を行うインクジェット記録装置の制御をコンピュータに実行させるためのプログラムであって、
前記インクタンクの有無を検知する検知工程と、
前記検知手段の検知結果に基づいて、前記記録ヘッドをクリーニングするクリーニング部のクリーニング動作を禁止する制御工程と
をコンピュータに実行させることを特徴とするプログラム。
【請求項１３】  インクを吐出する記録ヘッドと、該記録ヘッドに着脱可能なインクタンクとを有し、該インクタンクから供給されるインクを吐出する前記記録ヘッドを用いて記録を行うインクジェット記録装置の制御をコンピュータに実行させるためのプログラムであって、
前記インクタンクの有無を検知する検知工程と、
前記検知手段の検知結果に基づいて得られる前記インクタンクの未装着時間に基づいて、前記記録ヘッドをクリーニングするクリーニング部によるクリーニング動作を制御する制御工程と
をコンピュータに実行させることを特徴とするプログラム。
【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】
入力データに含まれるオブジェクトの種類を判定する判定手段と、
前記判定手段による判定の結果、前記オブジェクトがグラフィックスの場合、前記オブジェクトのグラフィックスの細線に対して着色剤の量を抑制するリダクション処理を施す処理手段とを有し、
前記リダクション処理の実行の有無は、ユーザの指示に基づき選択されることを特徴とする画像形成装置。
【請求項２】
入力データに含まれるオブジェクトの種類を判定する判定手段と、
前記判定手段による判定結果に従い、前記オブジェクトを画像形成するために要する着色剤の量をオブジェクトの種類に応じた上限量に抑制するリダクション処理を前記入力データに対して施す処理手段とを有し、
前記上限量は、ユーザの指示に基づきオブジェクト毎に指定されることを特徴とする画像形成装置。
【請求項３】
前記グラフィックスの細線に対する着色剤の上限量を指定する指定手段を更に備えることを特徴とする請求項１記載の画像形成装置。
【請求項４】
前記判定手段は、ページ記述言語で記述された画像データに含まれる命令に基づいてオブジェクトの種類を判定することを特徴とする請求項１または２記載の画像形成装置。
【請求項５】
前記リダクション処理は、黒色を除く着色剤について行われることを特徴とする請求項１または２記載の画像形成装置。
【請求項６】
前記リダクション処理は、前記オブジェクトをラスタライズした後のデータについて行われることを特徴とする請求項１または２記載の画像形成装置。
【請求項７】
前記処理手段は、一定の種類のオブジェクトについては前記リダクション処理を行わないことを特徴とする請求項２記載の画像形成装置。
【請求項８】
前記処理手段は、前記判定手段によりビットマップと判定されたオブジェクトについて前記リダクション処理を行わないことを特徴とする請求項７記載の画像形成装置。
【請求項９】
前記リダクション処理は、前記ページ記述言語で記述された指定色について行われることを特徴とする請求項２記載の画像形成装置。
【請求項１０】
画像形成は電子写真方式で行われ、前記着色剤はトナーであることを特徴とする請求項１乃至９のいずれかに記載の画像形成装置。
【請求項１１】
入力データに含まれるオブジェクトの種類を判定する判定工程と、
前記判定工程による判定の結果、前記オブジェクトがグラフィックスの場合、前記オブジェクトのグラフィックスの細線に対して着色剤の量を抑制するリダクション処理を施す処理工程とを有し、
前記リダクション処理の実行の有無は、ユーザの指示に基づき選択されることを特徴とする画像形成方法。
【請求項１２】
入力データに含まれるオブジェクトの種類を判定する判定工程と、
前記判定工程による判定結果に従い、前記オブジェクトを画像形成するために要する着色剤の量をオブジェクトの種類に応じた上限量に抑制するリダクション処理を前記入力データに対して施す処理工程とを有し、
前記上限量は、ユーザの指示に基づきオブジェクト毎に指定されることを特徴とする画像形成方法。
【請求項１３】
前記グラフィックスの細線に対する着色剤の上限量を指定する指定工程を更に備えることを特徴とする請求項１１記載の画像形成方法。
【請求項１４】
前記判定工程では、ページ記述言語で記述された画像データに含まれる命令に基づいてオブジェクトの種類を判定することを特徴とする請求項１１または１２記載の画像形成方法。
【請求項１５】
コンピュータにより実行させるプログラムであって、
入力データに含まれるオブジェクトの種類を判定する判定手段と、
前記判定手段による判定の結果、前記オブジェクトがグラフィックスの場合、前記オブジェクトのグラフィックスの細線に対して着色剤の量を抑制するリダクション処理を施す処理手段としてコンピュータを機能させ、
前記リダクション処理の実行の有無は、ユーザの指示に基づき選択されることを特徴とするプログラム。
【請求項１６】
コンピュータにより実行させるプログラムであって、
入力データに含まれるオブジェクトの種類を判定する判定手段と、
前記判定手段による判定結果に従い、前記オブジェクトを画像形成するために要する着色剤の量をオブジェクトの種類に応じた上限量に抑制するリダクション処理を前記入力データに対して施す処理手段としてコンピュータを機能させ、
前記上限量は、ユーザの指示に基づきオブジェクト毎に指定されることを特徴とするプログラム。
【請求項１７】
前記グラフィックスの細線に対する着色剤の上限量を指定する指定手段としてコンピュータを更に機能させることを特徴とする請求項１５記載のプログラム。
【請求項１８】
前記判定手段は、ページ記述言語で記述された画像データに含まれる命令に基づいてオブジェクトの種類を判定することを特徴とする請求項１５または１６記載のプログラム。
【手続補正２】
【補正対象書類名】明細書
【補正対象項目名】００１３
【補正方法】変更
【補正の内容】
【００１３】
入力データに含まれるオブジェクトの種類を判定する判定手段と、
前記判定手段による判定の結果、前記オブジェクトがグラフィックスの場合、前記オブジェクトのグラフィックスの細線に対して着色剤の量を抑制するリダクション処理を施す処理手段とを有し、
前記リダクション処理の実行の有無は、ユーザの指示に基づき選択される。
【手続補正３】
【補正対象書類名】明細書
【補正対象項目名】００１４
【補正方法】変更
【補正の内容】
【００１４】
あるいは、入力データに含まれるオブジェクトの種類を判定する判定手段と、
前記判定手段による判定結果に従い、前記オブジェクトを画像形成するために要する着色剤の量をオブジェクトの種類に応じた上限量に抑制するリダクション処理を前記入力データに対して施す処理手段とを有し、
前記上限量は、ユーザの指示に基づきオブジェクト毎に指定される。
【手続補正４】
【補正対象書類名】明細書
【補正対象項目名】００１５
【補正方法】削除
【補正の内容】
【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】電池残量検出方法及びその方法を用いた記録装置
【手続補正２】
【補正対象書類名】明細書
【補正対象項目名】特許請求の範囲
【補正方法】変更
【補正の内容】
【特許請求の範囲】
【請求項１】  少なくとも電池電源で動作可能な記録装置の電池残量検出方法であって、
外部から送信されてきた記録データが複数ページの記録媒体に記録を行うデータであるかどうかを判別する判別工程と、
前記判別工程における判別結果に従って、電池電圧を検出するタイミングを変更するよう制御する検出制御工程とを有することを特徴とする電池残量検出方法。
【請求項２】  前記タイミングは、１枚目のページに記録を行うときは記録媒体の給紙直前と前記記録媒体の排紙時であり、２枚目以降のページに記録を行なうときは前記記録媒体の排紙中であることを特徴とする請求項１に記載の電池残量検出方法。
【請求項３】  前記記録媒体を搬送する搬送モータの駆動中に前記電池電圧を検出することを特徴とする請求項２に記載の電池残量検出方法。
【請求項４】  前記記録媒体の給紙前に、前記搬送モータをダミー励磁することを特徴とする請求項３に記載の電池残量検出方法。
【請求項５】  少なくとも電池電源で動作可能な記録装置であって、
外部から送信されてきた記録データを受信する受信手段と、
前記受信手段によって受信された前記記録データが複数ページの記録媒体に記録を行うデータであるかどうかを判別する判別手段と、
前記判別手段による判別結果に従って、電池電圧を検出するタイミングを変更するよう制御する検出制御手段とを有することを特徴とする記録装置。
【手続補正３】
【補正対象書類名】明細書
【補正対象項目名】０００１
【補正方法】変更
【補正の内容】
【０００１】
【発明の属する技術分野】
本発明は電池残量検出方法及びその方法を用いた記録装置に関し、特に、例えば、携帯可能なＡＣ／ＤＣ電源両用のインクジェット記録装置に適用される電池残量検出方法に関するものである。
【手続補正４】
【補正対象書類名】明細書
【補正対象項目名】００１７
【補正方法】変更
【補正の内容】
【００１７】
本発明は上記問題点に鑑みてなされたもので適切なタイミングで電池残量を検出することにより、特に、例えば、携帯型記録装置における連続記録でのスループットの低下を最小限に抑えることが可能な電池残量検出方法及び記録装置を提供することを目的とする。